(57)【要約】【課題】小型で、低価格で、しかも脱水効率の良いマットレス用脱水機を提供する。【解決手段】脱水室２６内において、挟み込み機構３１の載置台３４と押え体３５とによりマットレス３０を厚さ方向から挟み込んだ状態で、回転駆動機構３２により、そのマットレス３０を、これの幅方向の中央部でかつ長手方向に沿った中心線を中心として高速回転させることにより、マットレス３０を脱水する構成とする。【選択図】図４
2007307356.tif 000002
【特許請求の範囲】
【請求項１】
水分を含んだマットレスを脱水するものであって、
前記マットレスを収容可能な脱水室と、
この脱水室内にあって前記マットレスを厚さ方向から挟み込んで保持する挟み込み手段と、
前記マットレスを前記挟み込み手段にて保持した状態で、前記マットレスを、これの幅方向の中央部でかつ長手方向に沿った中心線を中心として回転させる回転駆動手段とを備えたことを特徴とするマットレス用脱水機。
【請求項２】
マットレスを洗浄および脱水するものであって、
前記マットレスを収容可能な収容室と、
この収容室内に設けられ、前記マットレスを載置する載置台、この載置台に載置されたマットレスをこれの厚さ方向から挟み込んで保持する押え体を有する挟み込み手段と、
前記収容室内に移動可能に設けられ、前記載置台に載置された前記マットレスに対し洗浄水を掛けて洗浄するノズルと、
このノズルに洗浄水を供給する洗浄水供給手段と、
前記マットレスを前記挟み込み手段にて保持した状態で、前記マットレスを、これの幅方向の中央部でかつ長手方向に沿った中心線を中心として回転させる回転駆動手段とを備えたことを特徴とするマットレス用脱水機。
【請求項３】
挟み込み手段は、マットレスを当該マットレスの幅方向の中央部のみを挟み込む構成であることを特徴とする請求項１又は２記載のマットレス用脱水機。
【請求項４】
マットレスの回転停止時に前記マットレスをほぼ水平状態にて停止させる停止位置制御手段を備えたことを特徴とする請求項１又は２記載のマットレス用脱水機。
【請求項５】
押え体は、マットレスを当該マットレスの幅方向の中央部のみを挟み込むように構成されていると共に、
ノズルは、前記押え体を挟んで前記マットレスの幅方向の両側に配置され、これら両ノズルが互いに近接および離間するようにマットレスの幅方向に沿って往復動するように構成されていることを特徴とする請求項２記載のマットレス用脱水機。
【請求項６】
両ノズルは、夫々押え体に向かうように傾斜していることを特徴とする請求項５記載のマットレス用脱水機。
【請求項７】
押え体にマットレスの幅方向に延びる複数の棒状部材を一体的に設け、前記棒状部材によって、前記マットレスを広範囲にわたって挟み込むように構成したことを特徴とする請求項５又は６記載のマットレス用脱水機。
【発明の詳細な説明】
【技術分野】
【０００１】
本発明は、マットレスを遠心力により脱水する構成のマットレス用脱水機に関する。
【背景技術】
【０００２】
病院や介護施設などにおいては、ベッドにマットレスが使用されており、そのマットレスを清潔にすることが要望されている。例えば特許文献１には、マットレスを洗浄及び脱水するものとして、ドラム式洗濯装置が開示されている。この種のものでは、外ドラム内に、水平軸周りに回転可能な回転ドラムを配設した構成で、その回転ドラム内に複数枚のマットレスを回転ドラムの内面に沿うようにセットし、回転ドラム内に洗濯液を供給すると共に回転ドラムを適宜回転させることによってマットレスの洗浄を行い、また、回転ドラムを、マットレスごと高速回転させることにより、マットレスを遠心力により脱水するようになっている。
【特許文献１】特開２００４−８７４０号公報
【発明の開示】
【発明が解決しようとする課題】
【０００３】
上記したようなドラム式の洗濯装置は、複数枚のマットレスを同時に洗浄及び脱水もできるようになっているが、大形であり、しかも価格も高いという問題があった。例えば小規模な施設では、設置場所を確保できなかったり、価格が高いために購入できなかったりすることがある。また、一枚のみを脱水しようとしても、バランスが悪いため、高速回転ができないという不具合もある。そこで、小型で、低価格のマットレス用の脱水機が要望されている。
【０００４】
本発明は上記した事情に鑑みてなされたものであり、その目的は、小型で、低価格で、しかも脱水効率の良いマットレス用脱水機を提供することにある。
【課題を解決するための手段】
【０００５】
上記した目的を達成するために、本発明は、水分を含んだマットレスを脱水するマットレス用脱水機であって、前記マットレスを収容可能な脱水室と、この脱水室内にあって前記マットレスを厚さ方向から挟み込んで保持する挟み込み手段と、前記マットレスを前記挟み込み手段にて保持した状態で、前記マットレスを、これの幅方向の中央部でかつ長手方向に沿った中心線を中心として回転させる回転駆動手段とを備えたことを特徴とする。
【０００６】
この発明によれば、マットレスを挟み込み手段にて保持した状態で、そのマットレスを、これの幅方向の中央部でかつ長手方向に沿った中心線を中心として高速回転させることにより、マットレスに含まれた水分が、回転の遠心力によりマットレスの幅方向の端面から放出され、これにより脱水することができる。
【０００７】
また、本発明は、マットレスを洗浄および脱水するものであって、前記マットレスを収容可能な収容室と、この収容室内に設けられ前記マットレスを載置する載置台、この載置台に載置されたマットレスをこれの厚さ方向から挟み込んで保持する押え体を有する挟み込み手段と、前記収容室内に移動可能に設けられ、前記載置台に載置された前記マットレスに対し洗浄水を掛けて洗浄するノズルと、このノズルに洗浄水を供給する洗浄水供給手段と、前記マットレスを前記挟み込み手段にて保持した状態で、前記マットレスを、これの幅方向の中央部でかつ長手方向に沿った中心線を中心として回転させる回転駆動手段とを備えたことを特徴とする。
【０００８】
この発明によれば、前述した脱水のみならず、マットレスを洗浄することができる。この洗浄にあっては、ノズルが移動可能に設けられているため、ノズルの設置数を極力低減させることができると共に、マットレスの効率的な洗浄を行うことができる。
【発明の効果】
【０００９】
以上のように本発明は、何れもマットレスを挟み込み手段にて保持した状態で、そのマットレスを、これの幅方向の中央部でかつ長手方向に沿った中心線を中心として回転させることで脱水を行なう構成であるから、１枚のみのマットレスを良好に脱水することができ、ドラム式のものに比べて小型にできると共に、低価格にできる。また、マットレスに含まれた水分が、回転の遠心力によりマットレスの幅方向の端面から集中して放出されるので、脱水効率が良い。
【発明を実施するための最良の形態】
【００１０】
＜第１の実施形態＞
以下、本発明の第１の実施形態について図面を参照して説明する。
まず、図１〜図４において、マットレス用脱水機１の外箱２は、正面から見て左右方向に長い矩形箱状をなしている。その外箱２の前面部２ａには、左右方向に長い開口部からなる出入口３が形成されていると共に、その出入口３を開閉する扉４がヒンジ部５を介して上下方向に回動可能に設けられている。扉４には、内部を透視できる透明な窓部６が設けられていると共に、取手部７が設けられている。
【００１１】
外箱２の前面部２ａの背面側には、図５にも示すように、棚部８がヒンジ部９を介して回動可能に設けられている。この棚部８と扉４との間には、扉４の回動に連動して棚部８が回動するように連動機構１０が設けられている。この連動機構１０は、扉４の背面側に固定状態に設けられたガイド板１１と、棚部８の基端部に固定状態に設けられたアーム１２と、一端部がガイド板１１に回動可能に取り付けられたステー１３とを備えている。ガイド板１１にはガイド孔１４が形成されていて、このガイド孔１４に、アーム１２の先端部に設けられたローラ１５が移動可能に挿入されている。ステー１３の他端部は、外箱２の前面部２ａの背面側に設けられた支持部１６の孔に移動可能に挿入されていて、その先端部にストッパ１７が設けられている。なお、扉４は鉄板を主体に構成されている。出入口３の上縁部には、扉４を閉鎖状態に保持するマグネット１８（図５（ａ）参照）が設けられている。
【００１２】
ここで、扉４を閉鎖した状態では、図５（ａ）に示すように、アーム１２のローラ１５はガイド孔１４の上端部に位置していて、棚部８は、下向きの退避位置に位置している。このとき、ステー１３はほぼ直立状態となっている。この状態から扉４を開放方向（図５（ｂ）で反時計回り方向）へ回動させると、ガイド板１１の同方向への回動に伴い、アーム１２を介して棚部８も、ヒンジ部９を中心に反時計回り方向へ回動する。そして、図５（ｃ）に示すように、扉４が前方へ９０度回動されてほぼ水平状態となると、棚部８も外箱２内においてほぼ水平状態の使用位置へ回動される。このとき、ステー１３のストッパ１７が支持部１６に当接し、このステー１３により扉４の水平状態が保持される。また、アーム１２のローラ１５がガイド孔１４の基端部に位置し、アーム１２を介して棚部８の水平状態が保持される。
【００１３】
外箱２の前面部２ａの背面側には、出入口３の右側に位置させて、扉４の開閉状態を検出する扉検出スイッチ１９（図２参照）が設けられていると共に、扉ロック用ソレノイド２０が設けられている。扉４の閉鎖状態で、扉ロック用ソレノイド２０が駆動してロッドが突出すると、そのロッドの先端部が、扉４の側面に形成された穴に挿入されることで、扉４を閉鎖状態にロックする構成となっている。
【００１４】
外箱２の前面部２ａにおける右上部には操作パネル部２１が設けられていて、この操作パネル部２１に、表示部２２及び操作スイッチ２３などが設けられている。操作パネル部２１の裏側には、マイクロコンピュータからなる制御装置２４（図２参照）が設けられている。この制御装置２４は、マットレス用脱水機１の動作全般を制御する機能を備えていて、制御手段を構成する。
【００１５】
外箱２内には、前面及び上面が開口した水受槽２５（図４参照）が設けられていて、この水受槽２５と、外箱２の前面部２ａ（及び扉４）と、外箱２の天井部２ｂとで形成される空間内を脱水室２６としている。水受槽２５の底部には、排水管２７が接続されている。そして、脱水室２６内には、脱水対象のマットレス３０を挟み込むための挟み込み機構３１（本発明の挟み込み手段に相当）が配設され、また、外箱２内において水受槽２５の外側でかつ右側に位置させて、挟み込み機構３１にて挟み込まれたマットレス３０を回転駆動する回転駆動機構３２（本発明の回転駆動手段に相当）が配設されている。
【００１６】
次に挟み込み機構３１について、主に図６〜図１１を参照して説明する。挟み込み機構３１は、主に、挟み込み機構３１の支持枠となるフレーム３３と、左右方向に長いほぼ矩形状をなす載置台３４（図７〜図９参照）と、左右方向に長いほぼ矩形状をなし、この載置台３４に対して接近及び離間する方向（図７〜図９において上下方向）に移動可能な押え体３５と、この押え体３５を移動操作するための操作機構３６などから構成されている。載置台３４の上面には、平板状の載置板３４ａが設けられている。また、押え体３５の下面には、平板状の押え板３５ａが設けられていると共に、この押え板３５ａの中央部に左右方向に延びかつ下方へ突出する山形状をなす凸部３５ｂ（図７及び図８参照）が設けられている。
【００１７】
載置台３４の左右両端部には、それぞれ横方向へ突出する軸部３７，３８が固定状態に設けられていて、これら軸部３７，３８が、フレーム３３に設けられた左右の軸受３９，４０に回転可能に支持されている。従って、載置台３４は、軸部３７，３８ごと軸受３９，４０に回転可能に支持されている。載置台３４の左右両端部には、図７において上方に延びるガイド軸４１が１本ずつ設けられていて、上記押え板３５ａ及び押え体３５が、それらガイド軸４１に沿って軸方向に移動可能に設けられている。
【００１８】
押え体３５の上部のほぼ中央部には、左右方向へ延びる角パイプ４５が設けられ、この角パイプ４５の上方に、当該角パイプ４５に沿って左右方向へ延びる横バー４６が左右方向へ移動可能に設けられている。横バー４６の左右両端部は、図７に示すように、ほぼ三角形状をなす可動プレート４７を介して、また、中央部は単純形状の可動プレート４８を介して角パイプ４５に連結されている。各可動プレート４７，４８は、前後に２枚ずつ配置されていて、横バー４６及び角パイプ４５にそれぞれ軸により回動可能に連結されている。可動プレート４７と角パイプ４５とを回動可能に連結する軸を、符号５８ａにて示す。
【００１９】
載置台３４及び押え体３５の左右両側には、それぞれ２本ずつの厚さ調整棒５０が配設されていて、手前側の厚さ調整棒５０の上端部にはハンドル５１が設けられている。各厚さ調整棒５０の下部の外周部には雄ねじ部５０ａが形成されていて、この雄ねじ部５０ａが、載置台３４に設けられたナット部５２に螺合されている。従って、厚さ調整棒５０を軸周りに回転させることに伴い、雄ねじ部５０ａとナット部５２との螺合位置が変化し、これに伴い厚さ調整棒５０が軸方向に移動するようになっている。隣り合った２本の厚さ調整棒５０の上部には、スプロケット及びチェーン５３からなる回転伝達機構５４（図９参照）が設けられていて、ハンドル５１により一方の厚さ調整棒５０を回転させることに伴い、その回転が回転伝達機構５４を介してもう一方の厚さ調整棒５０に伝達されて回転されるようになっている。
【００２０】
また、隣り合った２本の厚さ調整棒５０は、連結板５５により連結されていて、載置台３４及び押え体３５に対してナット部５２を支点に上部が、正面から見て左右方向に揺動可能に設けられている。図６及び図７の状態では、２本の厚さ調整棒５０は左側に傾斜している。厚さ調整棒５０の軸方向の中間部には、カラー５６が固定状態に設けられていると共に、このカラー５６の上方に位置させて連結部材５７が設けられている。連結部材５７の一端部は、軸５８を介して可動プレート４７に回動可能に連結されている。連結部材５７は、厚さ調整棒５０に対して相対的に移動可能である。従って、押え体３５は、左右の各可動プレート４７及び連結部材５７を介して厚さ調整棒５０に支持されている。
【００２１】
押え体３５の上部には、操作機構３６の操作レバー６０が設けられている。この操作レバー６０は、押え体３５の上部において左右方向のほぼ中央部に位置させて、後端部を、押え体３５の後部に設けられたブラケット６１に軸６２を介して横方向に揺動可能に支持されている。操作レバー６０の前端部は、押え体３５の前上部に設けられたレバーガイドプレート６３（図１１参照）のガイド孔６４を通して前方（外箱２の出入口３側）に向けられている。操作レバー６０の長手方向の中間部と上記横バー４６の左右方向の中間部との間には、連結ロッド６５がそれぞれに対して回動可能に連結されている。操作レバー６０を左右方向へ揺動させると、その連結ロッド６５を介して横バー４６が左右方向へ移動されるようになっている。
【００２２】
操作レバー６０において、レバーガイドプレート６３の前側に位置させてフック６６が軸６６ｃを中心に回動可能に取り付けられている。フック６６は、図１０にも示すように、左右両側に第１及び第２の引掛け部６６ａ，６６ｂを有している。このフック６６には、直線状をなすリンク６７の後端部が回動可能に連結されている。操作レバー６０の前部には、Ｌ字形リンク６８の屈曲部が軸６９により回動可能に取り付けられていて、このＬ字形リンク６８の後部側の短い側の端部が、リンク６７の前端部と軸を介して回動可能に連結されている。Ｌ字形リンク６８の前部は、前方に向けられていて、操作レバー６０の近傍に位置している。
【００２３】
リンク６７の前部と操作レバー６０との間には引張りコイルばね７０が取り付けられていて、この引張りコイルばね７０のばね力により、リンク６７を介して上記フック６６が時計回り方向に付勢されている。ここで、図１０において、Ｌ字形リンク６８の前部を時計回り方向へ回動させると、リンク６７を介してフック６６が、引張りコイルばね７０のばね力に抗して反時計回り方向へ回動されるようになっている。
【００２４】
上記レバーガイドプレート６３の前面上部の左右両側には、プレート７１，７２が固定状態に設けられていて、このうち左側のプレート７１に第１の係合ピン７３が、右側のプレート７２に第２の係合ピン７４がそれぞれ上方へ突出する状態で設けられている。
【００２５】
ここで、図６及び図１０の状態では、フック６６の第１の引掛け部６６ａが左側の第１の係合ピン７３に係合していて、操作レバー６０が左側の開放位置にロックされている。この状態では、横バー４６が左側へ移動していて、これに伴い、可動プレート４７，４８、連結部材５７、厚さ調整棒５０を介して押え体３５が、載置台３４から離れた開放位置（図７〜図９参照）に保持されている。
【００２６】
載置台３４の左右の軸部３７，３８のうち右側の軸部３８の右端部には、水受槽２５の外側に位置させてプーリー８０が設けられている。外箱２内の右下部には、水受槽２５の外側に位置させて、図２〜図４に示すように脱水用モータ８１が設けられていて、このモータ８１の回転軸に設けられたプーリー８２と上記プーリー８０との間にベルト８３が掛けられている。ここで、脱水用モータ８１が回転されると、その回転がベルト８３、プーリー８０を介して載置台３４の軸部３８に伝達され、これに基づき載置台３４ひいては挟み込み機構３１が回転される構成となっている。この場合、脱水用モータ８１と、プーリー８０，８２と、ベルト８３とにより、挟み込み機構３１を回転駆動する回転駆動機構３２を構成している。なお、載置台３４の下部には、左右方向へ長いバランスウエイト８４（図７、図８参照）が設けられている。
【００２７】
図６において、フレーム３３にあってプーリー８０と対向する部分には、位置検出手段として磁気センサからなる回転位置検出センサ８５を設けている。プーリー８０にあって、その回転位置検出センサ８５と対向する面には、金属板からなる回転板８６がプーリー８０と一体に回転するように設けられている。この回転板８６には、図１６に示すように、外周部の１箇所に切欠部８７が形成されている。載置台３４の回転停止時に、回転位置検出センサ８５が回転板８６の切欠部８７を検出すると、その検出信号が制御装置２４に送られる。制御装置２４は、回転位置検出センサ８５の検出信号に基づき脱水用モータ８１を停止させる。すると、載置台３４は、ほぼ水平位置で停止されるようになっている。この場合、制御装置２４は、マットレス３０の回転停止時にそのマットレス３０をほぼ水平状態にて停止させる停止位置制御手段を構成している。
【００２８】
なお、図４において、脱水室２６内において、マットレス３０の回転軌跡Ｋのやや外側に位置させて、マットずれ検出センサ８８が設けられている。このマットずれ検出センサ８８は、投光センサと受光センサとを対向状態に配置し、投光センサから照射された光がマットレスで遮断されて、受光センサにてその光を受光できなくなると、マットレス３０の位置がずれていると判定する。
【００２９】
上記制御装置２４は、このマットレス用脱水機１の動作全般を制御する機能を備えていて、扉検出スイッチ１９、操作スイッチ２３、回転位置検出センサ８５、マットずれ検出センサ８８の出力信号と、あらかじめ備えた制御プログラムに基づき、扉ロック用ソレノイド２０、表示部２２、脱水用モータ８１などを制御する。
【００３０】
なお、外箱２の天井面前部には複数の通気口９１が形成され、外箱２の後面上部にも、水受槽２５内と連通する通気口９２が複数形成されている。これら各通気口９１，９２は、脱水室２６内と外箱２外とを連通させている。これら各通気口９１，９２には、網９１ａ，９２ａが張られている。
【００３１】
次に上記構成の作用を説明する。
水分を含んだマットレス３０を脱水する場合には、まず、使用者は扉４を開放させ、前方へほぼ水平状態となる位置まで回動させる（図４の二点鎖線参照）。これに伴い、棚部８が、同図２の二点鎖線で示すようにほぼ水平状態に使用位置へ回動される。このとき、載置台３４はほぼ水平位置にて停止していて、この載置台３４の上面と、棚部８の上面とがほぼ面一の状態となる。押え体３５は、図７〜図９に示すように、載置台３４から上方へ離間した開放位置に保持されていて、載置台３４の上面と押え体３５の下面（凸部３５ｂの下端）との間の隙間寸法Ｓ１は、マットレス３０の厚さ寸法ｔ１より大きくなっている（図８参照）。
【００３２】
この状態で、マットレス３０を、出入口３から脱水室２６内に挿入し、載置台３４上に載置する。このとき、扉４と載置台３４との間には、棚部８がこれらとほぼ面一となるように水平状態に位置しているので、マットレス３０を載置台３４上に載せ易い。マットレス３０は、これの幅方向の中央部でかつ長手方向に沿った中心線Ｃ（図３参照）が、載置台３４の中心線（軸部３７と３８を結んだ線）にほぼ一致するように配置する。
【００３３】
そして、使用者は、出入口３から手を挿入し、操作レバー６０のＬ字形リンク６８の先端部を時計回り方向へ回動させることで、フック６６を反時計回り方向へ回動させ、第１の引掛け部６６ａの第１の係合ピン７３に対する係合を外す。この状態で、操作レバー６０を右方向へ回動操作する。これに伴い横バー４６が右方向へ移動する。これに伴い、左右の可動プレート４７が、軸５８ａを中心に図７中、時計回り方向へ回動して、押え体３５がガイド軸４１に沿って下方へ移動すると共に、厚さ調整棒５０が傾斜状態からほぼ直立状態になる（図１３参照）。これにより、押え体３５がマットレス３０を上方から押さえた状態となる（図１４、図１５参照）。このとき、図１２に示すように、フック６６の右側の第２の引掛け部６６ｂを右側の第２の係合ピン７４に係合させることにより、操作レバー６０は、締め込み位置にロックされた状態となる。これにより、押え体３５が挟み込み位置に保持され、押え体３５と載置台３４とでマットレス３０を挟み込んだ状態が保持される。
【００３４】
次に、扉４を閉鎖位置へ回動させると、棚部８が下向きの退避位置へ回動され、マットレス３０の回転軌跡Ｋの外側に位置されるようになる。なお、扉４を閉鎖位置へ回動させると、扉４はマグネット１８により閉鎖位置に保持される。そして、使用者が、操作パネル部２１の操作スイッチ２３のうち運転スイッチを操作すると、まず、扉ロック用ソレノイド２０が通電され、その扉ロック用ソレノイド２０により扉４が閉鎖状態でロックされる。この後、脱水用モータ８１に通電され、回転駆動機構３２により載置台３４、ひいては載置台３４と押え体３５とにより挟み込まれたマットレス３０が軸部３７，３８を中心に高速回転される。このときの回転方向は、図４中、反時計回り方向（図４の矢印Ａ方向参照）である。これにより、マットレス３０は、これの幅方向の中央部でかつ長手方向に沿った中心線Ｃを中心として高速回転され、マットレス３０に含まれた水分が、回転の遠心力によりマットレス３０の幅方向の両端面３０ａから放出され、これにより脱水される。なお、マットレス３０から放出された水は、水受槽２５にて受けられ、排水管２７から外部に排出される。
【００３５】
このとき、マットレス３０の回転に伴い、脱水室２６内には空気の流れが発生し、通気口９１，９２を通して、外部の比較的乾いた空気が脱水室２６内に導入されると共に、脱水室２６内の湿気を含んだ空気が外箱２外へ排出されるようになる。この空気の流れにより、マットレス３０の湿気が一層除去され易くなる。なお、この場合、例えば外箱２外においてバーナ等で加熱した温風を、通気口９１，９２を通して脱水室２６内に導入するようにすれば、マットレス３０の湿気を一層除去され易くでき、ひいてはマットレス３０の乾燥効率を向上させることが可能となる。
【００３６】
またこのとき、操作レバー６０は、フック６６の第２の引掛け部６６ｂが第２の係合ピン７４に係合しているので、載置台３４と押え体３５との挟み込み状態が緩むことが確実に防止される。また、仮にマットレス３０の載置位置がずれていた場合には、マットずれ検出センサ８８がこれを検出することに基づき、制御装置２４が脱水用モータ８１を強制的に停止させる。
【００３７】
制御装置２４は、あらかじめ設定された設定時間が経過すると、脱水用モータ８１を停止させる。このとき、回転位置検出センサ８５により回転板８６の切欠部８７の位置を検出することで、載置台３４をほぼ水平位置で停止させる。載置台３４が水平位置で停止したら、制御装置２４は、扉ロック用ソレノイド２０を断電する。すると、ロッドが扉４から退避し、ロック状態が開放される。この状態で、使用者が扉４を開放方向へ回動させると、棚部８が再びほぼ水平状態まで回動される。
【００３８】
この後、使用者は、出入口３から手を挿入し、操作レバー６０のＬ字形リンク６８の先端部を時計回り方向へ回動させることで、フック６６を反時計回り方向へ回動させ、第２の引掛け部６６ｂの第２の係合ピン７４に対する係合を外す。この状態で、操作レバー６０を左方向へ回動操作する。これに伴い横バー４６が左方向へ移動する。これに伴い、左右の可動プレート４７が、軸５８ａを中心に図１３中、反時計回り方向へ回動して、押え体３５がガイド軸４１に沿って上方へ移動すると共に、厚さ調整棒５０が直立状態から左へ傾斜した状態になる（図７参照）。これにより、押え体３５がマットレス３０から上方へ離間した状態となる（図７〜図９参照）。このとき、図６に示すように、フック６６の左側の第１の引掛け部６６ａを左側の第１の係合ピン７３に係合させることにより、操作レバー６０は、開放位置にロックされた状態となる。
【００３９】
この状態で、使用者は、載置台３４上の、脱水されたマットレス３０を出入口３から外へ取り出す。そして、さらに脱水するマットレスがある場合には、次のマットレスを脱水室２６に挿入し、上記した動作と同様なことを行なって脱水を行なう。
【００４０】
上記した実施形態によれば次のような作用効果を得ることができる。
マットレス３０を挟み込み機構３１にて保持した状態で、そのマットレス３０を、これの幅方向の中央部でかつ長手方向に沿った中心線Ｃを中心として回転させることで脱水を行なう構成であるから、１枚のみのマットレス３０を良好に脱水することができ、ドラム式のものに比べて小型にできると共に、低価格にできる。また、マットレス３０に含まれた水分が、回転の遠心力によりマットレス３０の幅方向の端面３０ａから集中して放出されるので、脱水効率が良い。
【００４１】
挟み込み機構３１は、載置台３４と押え体３５により、マットレス３０を当該マットレス３０の幅方向の中央部のみを挟み込む構成であり、載置台３４と押え体３５とで挟み込む以外の部分は露出しているので、マットレス３０の上面及び下面の全体を挟み込んだ状態で脱水する場合よりも、脱水効率を一層良くすることができる。
【００４２】
マットレス３０の回転停止時にそのマットレス３０をほぼ水平状態にて停止させる構成としているので、脱水後のマットレス３０を取り出しやすく、また、次のマットレス３０を載置台３４に載せる際にも載せ易い。従って、マットレス３０の出し入れ作業をしやすくできる。
扉４の開放に連動して棚部８がほぼ水平状態となるので、やはり、マットレス３０の出し入れ作業をしやすくできる。扉４を閉鎖した状態では、棚部８は、マットレス３０の回転軌跡Ｋから外れた退避位置に回動されるので、その棚部８が邪魔になることはない。
【００４３】
押え体３５を上下動させる操作レバー６０の先端部を前方に向けているので、使用者はその操作レバー６０を出入口３から容易に操作することができる。また、操作レバー６０を左側の開放位置と、右側の締め込み位置とにロックする機構（第１及び第２の引掛け部６６ａ，６６ｂを有するフック６６と、第１及び第２の係合ピン７３，７４）を設けているので、挟み込み機構３１を回転させる構成としながらも、押え体３５を開放位置と挟み込み位置とに確実に保持できる。
【００４４】
＜第２の実施形態＞
図１７〜図２６は、本発明の第２の実施形態を示すものであり、第１の実施形態と異なるところを説明する。なお、第１の実施形態と同一部分には同一符号を付している。
【００４５】
本実施形態の挟み込み機構（挟み込み手段）９４は、第１の実施形態の挟み込み機構３１とは以下の点について相違する。即ち、図２０、図２１等に示すように、挟み込み機構９４の押え体９５は、左右方向に長い角パイプ９５ａと、これの下面中央部に設けられた凸部９５ｂとからなる。凸部９５ｂは、左右方向に延び且つ下方に突出するように形成されている。角パイプ９５ａの両端部には載置台３４に立設されたガイド軸４１，４１が貫通しており、押え体９５が、それらガイド軸４１，４１に沿って軸方向に移動可能に設けられている。
【００４６】
前記横バー４６は、角パイプ９５ａの上方に、当該角パイプ９５ａに沿って左右方向へ移動可能に設けられている。横バー４６の左右両端部は、図２０に示すように、前記可動プレート４７を介して、また、中央部は前記可動プレート４８を介して角パイプ９５ａに連結されている。各可動プレート４７，４８は、前後に２枚ずつ配置されていて、横バー４６及び角パイプ９５ａにそれぞれ軸により回動可能に連結されている。可動プレート４７と角パイプ９５ａとを回動可能に連結する軸を、符号５８ａにて示す。また、可動プレート４７には、連結部材９７ａが軸５８により回動可能に設けられている。
【００４７】
載置台３４及び押え体９５の左右両側には、それぞれ２本ずつの回動棒９６が配置されている。回動棒９６の上端部は、連結部材９７ａに装着されていると共に、回動棒９６の下端部は、載置台３４に回動可能に設けられた連結部材９７ｂに装着されている。これにより、押え体９５は、左右の各可動プレート４７及び連結部材９７ａを介して回動棒９６に支持されている。また、回動棒９６は、載置台３４及び押え体９５に対して連結部材９７ｂを支点に、正面から見て左右方向に揺動するように構成されており、図２０、図２１に示す左側に傾斜した回動棒９６は、連結部材９７ｂを支点に右方に回動するようになっている。
【００４８】
図２０に示すように、角パイプ９５ａの上方に配置された左右方向へ長いバランスウエイト９８は、その左右両端部において、角パイプ９５ａに固着された左右一対の取付板９９に固定されている。
一対の取付板９９は、角パイプ９５ａを前後に挾むように２枚ずつ（図１９、図２２参照）配設されており、前側の取付板９９には、夫々エアシリンダ１００が横バー４６に沿う横向きに設けられている。これら２個のエアシリンダ１００のロッドの先端部は、夫々横バー４６に連結されており、当該エアシリンダ１００によって横バー４６が左右方向へ移動されるようになっている。図２０，図２１に示すように、横バー４６が左側へ移動された状態にあっては、可動プレート４７，４８、連結部材９７ａ、回動棒９６、連結部材９７ｂを介して押え体９５が、載置台３４から上方へ離れた開放位置に保持されている。なお、エアシリンダ１００に供給されるエア圧力は、例えば０．５ＭＰａに設定されている。
【００４９】
以上のように構成された挟み込み機構９４は、第１の実施形態とは異なり押え体３５を手動操作するための操作機構３６等が不要とされる。また、挟み込み機構９４全体の機械的強度を確保（つまり曲げ変形を抑制）すべく、載置台３４の下部に左右方向へ長いテンションバー１０１が設けられている。
【００５０】
さて、本実施形態のマットレス用脱水機１は、図１８、図１９に示すように、押え体９５を挟んでマットレス３０の幅方向の両側に配置された複数のノズル１０２を備え、これらノズル１０２からマットレス３０に洗浄水を掛けて洗浄するように構成されている。
【００５１】
詳細には、図１９に示すように、押え体９５を前後に挟んだ両側にマットレス３０の長手方向に延びる配管１０３ａ，１０３ｂが配置されており、これら配管１０３ａ，１０３ｂに、夫々複数（例えば１０個ずつ）のノズル１０２が接続されている。この場合、前側の配管１０３ａ及びこれに接続されたノズル１０２は、後述する移動機構１０４によって、押え体９５の前側において押え体９５に近接した初期位置Ｐ１ａ（図１８、図１９の二点鎖線参照）と、マットレス３０の回転軌跡Ｋの外側に位置した退避位置Ｐ２ａとの間を移動するように構成されている。同様に、後側の配管１０３ｂ及びこれに接続されたノズル１０２は、移動機構１０４によって、押え体９５の後側における初期位置Ｐ１ｂと退避位置Ｐ２ｂとの間を移動する。また、配管１０３ａ，１０３ｂには後述する洗浄水供給手段１０５（図２５参照）から洗浄水が供給されることにより、各ノズル１０２から洗浄水が噴射されるようになっている。
【００５２】
図１８に示すように、ノズル１０２は、その下方が押え体９５に向かうように傾斜した「く」の字状に形成されている。具体的には、両側のノズル１０２，１０２は、夫々の初期位置Ｐ１ａ，Ｐ１ｂにおいて噴射された洗浄水が押え体９５の下方（マットレス３０の幅方向の上面中央部）に掛かると共に、夫々の退避位置Ｐ２ａ，Ｐ２ｂにおいて噴射された洗浄水がマットレス３０の両端面３０ａに掛かるように傾斜している。
【００５３】
続いて、ノズル１０２を移動させる移動機構１０４について説明する。図１９に示すように、フレーム３３の後部には、配管１０３ｂの退避位置Ｐ２ｂの後側（つまり外箱２内の後方上部）に位置させて左右に延びる軸部１０６が回転可能に設けられている。この軸部１０６の両端部には、水受槽２５の内側に位置させてスプロケット１０７ｂが夫々取着されている。また、フレーム３３前部の両側部には、配管１０３ａの退避位置Ｐ２ａの前側（つまり外箱２内の前方上部）に位置させて、スプロケット１０７ｂと対をなすスプロケット１０７ａが夫々取着されていて、これら一対のスプロケット１０７ａ，１０７ｂの間にチェーン１０８が夫々掛け渡されている。このチェーン１０８の上辺部１０８ａ（図１８参照）には、配管１０３ａの両端部に設けられた取付部材１０９ａが連結されていると共に、下辺部１０８ｂには、配管１０３ｂの両端部に設けられた取付部材１０９ｂが連結されている。
【００５４】
前記軸部１０６の右端部には、水受槽２５の外側に位置させてスプロケット１１０が設けられている。また、外箱２内の右側部には、水受槽２５の外側に位置させて減速機を備えたノズル移動用モータ１１１（図１７〜図１９参照）が設けられていて、このモータ１１１の回転軸に設けられたスプロケット１１２と上記スプロケット１１０との間にチェーン１１３が掛け渡されている。ここで、ノズル移動用モータ１１１が回転されると、その回転がチェーン１１３、スプロケット１１０及び軸部１０６（スプロケット１０７ｂ）を介してチェーン１０８に伝達されることにより配管１０３ａ，１０３ｂひいては両ノズル１０２，１０２が移動される構成となっている。この場合、両ノズル１０２，１０２は、ノズル移動用モータ１１１が正回転および逆回転されることにより、互いに近接および離間するように、初期位置Ｐ１ａ，Ｐ１ｂと退避位置Ｐ２ａ，Ｐ２ｂとの間をマットレス３０の幅方向に沿って往復動するようになっている。これらノズル移動用モータ１１１と、スプロケット１１０，１１２と、チェーン１１３と、スプロケット１０７ａ，１０７ｂと、チェーン１０８とにより、ノズル１０２の移動機構１０４が構成されている。なお、スプロケット１１０，１１２に代えて、一対の歯車を用い、チェーン１１３を省いた構成にしてもよい。つまり、プロケット１１０に代わる歯車を配置すると共に、この歯車と歯合するように、他方の歯車を装着したノズル移動用モータ１１１を配置してもよい。
【００５５】
次に、ノズル１０２に洗浄水を供給する洗浄水供給手段１０５について、図２５も参照しながら説明する。外箱２内の左側部には、水受槽２５の外側に位置させてボイラ１１４（図１７、図１９参照）が設けられている。ボイラ１１４は、図２５に示すように外部から水道水を供給するためのホース１１５を備え、ホース１１５から供給された水道水をバーナ（図示せず）により加熱して通過させるように構成されている。なお、このボイラ１１４による水道水の加熱手段は、ヒータ等であってもよい。
【００５６】
ボイラ１１４の近傍には、洗浄水供給用ポンプ１１６と洗剤供給用ポンプ１１７とが配設されている。洗浄水供給用ポンプ１１６の吸入口は、ボイラ１１４に接続されており、洗浄水供給用ポンプ１１６の吐出口は、ホース１１８を介して配管１０３ａ，１０３ｂに夫々接続されている。一方、洗剤供給用ポンプ１１７の吸込口は、洗剤を貯留するタンク１１９に接続されており、洗剤供給用ポンプ１１７の吐出口は、洗浄水供給用ポンプ１１６の吸入口に接続されている。
【００５７】
ここで、洗剤供給用ポンプ１１７は、その駆動によってタンク１１９内から洗剤を汲出する。洗浄水供給用ポンプ１１６は、その駆動によって、加熱された水道水（温水）、或はこの温水と前記洗剤との双方を、ホース１１８および配管１０３ａ，１０３ｂを介して各ノズル１０２に供給する。つまり、洗浄水供給用ポンプ１１６が単独で駆動されている場合に、ノズル１０２から噴射される洗浄水は温水とされ、両ポンプ１１６，１１７が駆動されている場合に、ノズル１０２から噴射される洗浄水は洗剤を含む温水とされる。なお、ボイラ１１４において、水道水は、噴射時の洗浄水の温度が例えば４０°Ｃ〜５０°Ｃとなる所定温度に加熱されると共に、後述する温度センサ１１４ａ（図２６にのみ図示）によって当該洗浄水の温度が検出されるようになっている。これらボイラ１１４と、温度センサ１１４ａと、各ポンプ１１６，１１７と、タンク１１９と、ホース１１５，１１８と、配管１０３ａ，１０３ｂとにより、洗浄水供給手段１０５が構成されている。また、洗浄水は供給圧力（噴射圧力）が例えば３ＭＰａに設定されている。
【００５８】
本実施形態においては、マットレス３０の洗浄および脱水を行うべく、水受槽２５と、外箱２の前面部２ａ（及び扉４）と、外箱２の天井部２ｂとで形成される空間内は収容室１２０（図１８参照）とされる。この収容室１２０内の右側部には、図１８に示す初期位置Ｐ１ａおよび退避位置Ｐ２ａの近傍部に位置させて、ノズル１０２の移動状態を検出するノズル初期位置検出スイッチ１２１およびノズル退避位置検出スイッチ１２２が配設されている。
【００５９】
本実施形態の操作パネル部２１（図１７参照）には、運転スイッチや非常停止スイッチなどの多数の操作スイッチからなる設定入力部１２３が設けられており、設定入力部１２３は、上記したノズル１０２の往復動の回数（洗浄回数）や脱水の時間などの設定入力が可能に構成されている。なお、当該操作パネル部２１について、その表示部２２をタッチパネル式の液晶画面から構成することにより、操作スイッチの設置数を少数にとどめ、上記した設定入力を液晶画面に対するタッチ操作によって行うようにしてもよい。
【００６０】
続いて、マットレス用脱水機１の制御系の構成について、図２６のブロック図を参照しながら説明する。制御装置２４に代わる制御装置（停止位置制御手段）１２４は、マイクロコンピュータを主体に構成されていて、マットレス用脱水機１の動作全般を制御する機能を備えている。即ち、制御装置１２４には、扉検出スイッチ１９、設定入力部１２３、回転位置検出センサ８５、マットずれ検出センサ８８、ノズル初期位置検出スイッチ１２１、ノズル退避位置検出スイッチ１２２、温度センサ１１４ａなどからの信号が入力される。そして、制御装置１２４は、これらの入力信号と予め備えた制御プログラムに基づき、扉ロック用ソレノイド２０、表示部２２、脱水用モータ８１、エアシリンダ１００、ノズル移動用モータ１１１、洗浄水供給用ポンプ１１６、洗剤供給用ポンプ１１７、ボイラ１１４などを制御する。このボイラ１１４は、マットレス用脱水機１の電源が投入されると、温度センサ１１４ａによる検出温度に基づいて、水道水が前記所定温度となるようバーナの火力が制御される。
【００６１】
次に上記構成の作用を説明する。
まず、使用者は、扉４を開放させ、前方へほぼ水平状態となる位置まで回動させる（図１８の二点鎖線参照）。これに伴い、棚部８が、同図１８の二点鎖線で示すようにほぼ水平状態に使用位置へ回動される。このとき、押え体９５は図２０、図２１に示すように、載置台３４から上方へ離間した開放位置に保持されていて、載置台３４の上面と押え体９５の下面（凸部９５ｂの下端）との間の隙間寸法Ｓ２は（図２１参照）、マットレス３０の厚さ寸法ｔ１より大きくなっている。
【００６２】
この状態で、マットレス３０を、出入口３から収容室１２０内に挿入し、載置台３４上に載置する。このとき、マットレス３０は、これの幅方向の中央部でかつ長手方向に沿った中心線Ｃ（図３参照）が、載置台３４の中心線（軸部３７と３８を結んだ線）にほぼ一致するように配置される。そして、使用者が扉４を閉鎖位置へ回動させると、第１の実施形態と同様に、棚部８がマットレス３０の回転軌跡Ｋの外側に位置される。
【００６３】
次いで、使用者が、操作パネル部２１の設定入力部１２３を操作して、洗浄回数および脱水の時間などを設定入力する。そして、運転スイッチが操作されると、扉ロック用ソレノイド２０が通電され、これにより扉４が閉鎖状態でロックされると共に、一連の洗浄および脱水工程（後述する洗浄工程、一次脱水工程、すすぎ工程、二次脱水工程）が開始される。
【００６４】
即ち、洗浄工程において、洗浄開始前の両ノズル１０２，１０２は、夫々初期位置Ｐ１ａ，Ｐ１ｂに位置させてある。この状態において、前記運転スイッチが操作されることで、洗浄水供給用ポンプ１１６と洗剤供給用ポンプ１１７とが駆動される。このとき、ホース１１８および配管１０３ａ，１０３ｂを介して、両ノズル１０２，１０２に洗剤を含む温水（洗浄水）が供給され、該ノズル１０２，１０２からマットレス３０の幅方向の上面中央部に向けて洗浄水が噴射される。
【００６５】
これと同時に、ノズル移動用モータ１１１が通電されて図１８中、反時計回り方向に回転（正回転、図１８の矢印Ｂ１方向参照）される。この回転がチェーン１１３、スプロケット１１０及び軸部１０６（スプロケット１０７ｂ）を介してチェーン１０８に伝達されることにより、配管１０３ａ，１０３ｂひいては両ノズル１０２，１０２が互いに離間するように移動する。こうして、両ノズル１０２，１０２は、洗浄水をマットレス３０に掛けながらマットレス３０の幅方向に沿って退避位置Ｐ２ａ，Ｐ２ｂまで移動すると、ノズル退避位置検出スイッチ１２２がこれを検出することに基づき、制御装置１２４がノズル移動用モータ１１１を強制的に停止させる。このとき、洗浄水は、両ノズル１０２，１０２が退避位置Ｐ２ａ，Ｐ２ｂに移動されているので、マットレス３０の両端面３０ａ，３０ａに掛かる。
【００６６】
そして、両ノズル１０２，１０２の退避位置Ｐ２ａ，Ｐ２ｂが検出されてから、所定時間（例えば１秒間）経過すると、停止されたノズル移動用モータ１１１は、通電されて図１８中、時計回り方向へ回転（逆回転、図１８の矢印Ｂ２方向参照）される。この回転が、上記のようにチェーン１０８に伝達されることにより配管１０３ａ，１０３ｂひいては両ノズル１０２，１０２が互いに近接するように移動される。そして、両ノズル１０２，１０２は、洗浄水をマットレス３０に掛けながら夫々元の位置に戻るように移動され、初期位置Ｐ１ａ，Ｐ１ｂに到達すると、ノズル初期位置検出スイッチ１２１がこれを検出することに基づき、制御装置１２４がノズル移動用モータ１１１を強制的に停止させる。このとき、洗浄水は、両ノズル１０２，１０２が初期位置Ｐ１ａ，Ｐ１ｂに移動されているので、マットレス３０の上面中央部に掛かる。そして、両ノズル１０２，１０２の初期位置Ｐ１ａ，Ｐ１ｂが検出されてから、所定時間（例えば１秒間）経過すると、停止されたノズル移動用モータ１１１は、再び正回転するように駆動される。
【００６７】
このように、洗浄水供給手段１０５によりノズル１０２に洗浄水が供給されると共に、ノズル移動用モータ１１１の正回転および逆回転が、設定入力された洗浄回数（所定時間をおいて）繰り返されることにより、マットレス３０がその全域にわたって洗浄されるようになっている。そして、両ノズル１０２，１０２を退避位置Ｐ２ａ，Ｐ２ｂに移動させた状態で、以下に説明する脱水工程を行うべく、ノズル移動用モータ１１１の正回転は、設定入力された洗浄回数よりも更に一回多く行われる。これにより、両ノズル１０２，１０２が退避位置Ｐ２ａ，Ｐ２ｂに位置し、洗浄水供給用ポンプ１１６及び洗剤供給用ポンプ１１７の駆動が停止され、以って洗浄工程を終了する。
【００６８】
続いて、一次脱水工程では、まず、２個のエアシリンダ１００が同時に作動される。これに伴い横バー４６が右方向へ移動する。これに伴い、左右の可動プレート４７が、軸５８ａを中心に図２０中、時計回り方向へ回動して、押え体９５がガイド軸４１に沿って下方へ移動すると共に、回動棒９６が傾斜状態からほぼ直立状態になる（図２３、図２４参照）。これにより、押え体９５がマットレス３０を上方から押さえた状態となる。これにより、押え体９５が挟み込み位置に保持され、押え体９５と載置台３４とでマットレス３０を挟み込んだ状態が保持される。
【００６９】
この後、脱水用モータ８１に通電され、回転駆動機構３２により載置台３４、ひいては載置台３４と押え体９５とにより挟み込まれたマットレス３０が軸部３７，３８を中心に高速回転される。この場合、マットレス３０は、中心線Ｃ（図３参照）を中心として図１８中、反時計回り方向（矢印Ａ方向）に高速回転され、マットレス３０に含まれた洗浄水が、回転の遠心力によりマットレス３０の両端面３０ａから放出され、これにより脱水される。なお、マットレス３０から放出された洗浄水は、水受槽２５にて受けられ、排水管２７から外部に排出される。
【００７０】
この一次脱水工程（及び後述の二次脱水工程）では、マットレス３０の回転に伴い、収容室１２０内には第１の実施形態と同様の空気の流れが発生し、マットレス３０の湿気がより除去され易くなっている。また、エアシリンダ１００によって横バー４６が右方向へ移動された状態が保持されており、載置台３４と押え体９５との挟み込み状態が緩まないようになっている。仮にマットレス３０の載置位置がずれていた場合には、マットずれ検出センサ８８がこれを検出することに基づき、制御装置１２４が脱水用モータ８１を強制的に停止させる。
【００７１】
制御装置１２４は、これに予め記憶された所定時間が経過すると、脱水用モータ８１を停止させ、上記のように載置台３４をほぼ水平位置で停止させる。そして、２個のエアシリンダ１００を同時に作動させて横バー４６を左方向へ移動させる。これに伴い、左右の可動プレート４７が、軸５８ａを中心に図２３中、反時計回り方向へ回動して、押え体９５がガイド軸４１に沿って上方へ移動すると共に、回動棒９６が直立状態から左へ傾斜した状態になる（図２０、２１参照）。これにより、押え体９５がマットレス３０から上方へ離間した状態となり、一次脱水工程を終了する。
【００７２】
次いで、すすぎ工程では、洗浄水供給用ポンプ１１６の駆動が開始されることにより、退避位置Ｐ２ａ，Ｐ２ｂに位置する両ノズル１０２，１０２に温水が供給され、該ノズル１０２，１０２からマットレス３０の両端面３０ａ，３０ａに向けて温水が噴射される。
【００７３】
これと同時に、ノズル移動用モータ１１１が通電されて矢印Ｂ２方向に逆回転され、両ノズル１０２，１０２が互いに近接するように移動される。こうして、両ノズル１０２，１０２は、温水をマットレス３０に掛けながら初期位置Ｐ１ａ，Ｐ１ｂまで移動すると、ノズル初期位置検出スイッチ１２１がこれを検出することに基づき、制御装置１２４がノズル移動用モータ１１１を強制的に停止させる。そして、両ノズル１０２，１０２の初期位置Ｐ１ａ，Ｐ１ｂが検出されてから、所定時間（例えば１秒間）経過すると、停止されたノズル移動用モータ１１１は、通電されて矢印Ｂ１方向に正回転され、両ノズル１０２，１０２が互いに離間するように移動される。このように、すすぎ工程では、洗浄水供給手段１０５によりノズル１０２に温水が供給されると共に、ノズル移動用モータ１１１の正回転および逆回転が、設定入力された洗浄回数（所定時間をおいて）繰り返されることにより、マットレス３０のすすぎがその全域にわたって行われるようになっている。こうして、すすぎ工程では、両ノズル１０２，１０２が往復動を終えると退避位置Ｐ２ａ，Ｐ２ｂに位置し、洗浄水供給用ポンプ１１６の駆動が停止され、その工程を終了する。
【００７４】
そして、二次脱水工程では、一次脱水工程と同様にエアシリンダ１００を作動させ、押え体９５を挟み込み位置に（図２３、図２４参照）保持させる。この後、脱水用モータ８１に通電され、回転駆動機構３２によりマットレス３０が、中心線Ｃを中心として図１８中、反時計回り方向（矢印Ａ方向）に高速回転される。このとき、マットレス３０に含まれた水分が、回転の遠心力によりマットレス３０の両端面３０ａから放出され、これにより脱水される。
【００７５】
制御装置１２４は、使用者により設定入力された脱水の時間が経過すると、脱水用モータ８１を停止させる。そして、上記のように載置台３４をほぼ水平位置で停止させることにより、二次脱水工程を終了する。
【００７６】
この後、制御装置１２４は、ノズル移動用モータ１１１を矢印Ｂ２方向に逆回転させて、両ノズル１０２，１０２が互いに近接するように移動させる。そして、初期位置Ｐ１ａ，Ｐ１ｂまで移動すると、ノズル初期位置検出スイッチ１２１がこれを検出することに基づき、制御装置１２４がノズル移動用モータ１１１を強制的に停止させる。また、制御装置１２４は、エアシリンダ１００を作動させて押え体９５をマットレス３０から上方へ離間させると共に、扉ロック用ソレノイド２０を断電してロッドを扉４から退避させロック状態を開放させる。
【００７７】
この状態で、使用者は、扉４を開放方向へ回動させて、棚部８を再びほぼ水平状態まで回動させた後、載置台３４上の、洗浄・脱水されたマットレス３０を出入口３から外へ取り出す。そして、さらに洗浄・脱水するマットレスがある場合には、次のマットレスを収容室１２０に挿入し、上記した動作と同様なことを行なって洗浄および脱水を行なう。
【００７８】
上記した実施形態によれば次のような作用効果を得ることができる。
マットレス３０を載置台３４上に載置した状態で、そのマットレス３０にノズル１０２から噴射される洗浄水を掛けて洗浄を行い、且つ、マットレス３０を挟み込み機構９４にて保持した状態で、そのマットレス３０をこれの幅方向の中央部で長手方向に沿った中心線Ｃを中心として回転させることで脱水を行なう構成であるから、１枚のみのマットレス３０を良好に洗浄・脱水することができ、ドラム式のものに比べて小型にできると共に、低価格にできる。
【００７９】
本実施形態とは異なり、ノズルを収容室内に移動不能に固定した場合、マットレス３０全体に洗浄水を行渡らせるためには多数のノズルが必要となる。また、これらノズルをマットレス３０の回転軌跡Ｋから外れた位置に配置する必要があるため、収容室ひいてはマットレス用脱水機全体が大型化する問題がある。これに対し、本実施形態によれば、両ノズル１０２，１０２は移動可能に設けられているので、上記のように固定した場合よりもノズルの設置数を少なく済ませることができる。また、前記回転軌跡Ｋから外れた収容室１２０の隅（つまり退避位置Ｐ２ａ，Ｐ２ｂ）に両ノズル１０２，１０２を移動させることができるので、ノズル１０２（洗浄機能）を備えた構成としながらもマットレス用脱水機１全体の大型化を抑制することができる。
【００８０】
挟み込み機構９４は、載置台３４と押え体９５により、マットレス３０を当該マットレス３０の幅方向の中央部のみを挟み込む構成であり、押え体９５は、押え体３５に比し細長に形成された角パイプ９５ａと凸部９５ｂとからなるので、挟み込まれたマットレス３０の露出部分を増加させ脱水効率をより高めることができる。
【００８１】
ノズル１０２は、押え体９５を挟んでマットレス３０の幅方向の両側に配置され、これら両ノズル１０２，１０２が互いに近接および離間するようにマットレス３０の幅方向に沿って往復動するように構成されているので、片側に配置されたノズルがマットレス３０の幅方向に沿って全体を往復動する場合よりも、洗浄時間を大幅に短縮（半減）させることができる。
両ノズル１０２及び１０２は、夫々配管１０３ａ及び１０３ｂ（並びに取付部材１０９ａ及び１０９ｂ）を介して一個のチェーン１０８に連結されているので、一個のモータ１１１により両ノズル１０２及び１０２を移動させることができ、簡単な構成にすることができる。
【００８２】
ノズル１０２は、その下方が押え体９５に向かうように傾斜した「く」の字状に形成されているので、開放位置にある押え体９５の下方（マットレス３０の幅方向の上面中央部）やマットレス３０の側面（両端面３０ａ）をも良好に洗浄することができる。
このほか、本実施形態によれば、扉４の開放に連動して棚部８がほぼ水平状態となるのでマットレス３０の出し入れ作業をしやすくできる等、第１の実施形態と同様の効果を得ることができる。
【００８３】
＜第３の実施形態＞
図２７、図２８は、本発明の第３の実施形態を示すものであり、第２の実施形態と異なるところを説明する。なお、第２の実施形態と同一部分には同一符号を付している。
【００８４】
本実施形態における挟み込み機構（挟み込み手段）１２５は、第２の実施形態の挟み込み機構９４とは以下の点について相違する。即ち、押え体９５の下部には、第２の実施形態の凸部９５ｂに代えて、棒状部材１２６が複数（例えば５つ）固定されている。これら棒状部材１２６は、互いに等間隔（図２８参照）を有してマットレス３０の幅方向の向きに延びており、その長さ寸法は載置台３４の幅方向の寸法と同程度に設定されている。なお、棒状部材１２６の長さ寸法を、載置台３４の幅方向の寸法よりも長尺に設定してもよい。
【００８５】
本実施形態の挟み込み機構１２５によれば、押え体９５に棒状部材１２６を一体的に設けたので、当該棒状部材１２６と載置台３４によりマットレス３０を広範囲にわたって挾み込むことができると共に、マットレス３０の回転時における変形を抑制することができる。この場合でも、マットレス３０の挟み込まれる以外の部分（露出部分）を確保することができるため、高い脱水効率を維持しつつ挟み込み機構１２５が洗浄の妨げとなるのを極力抑制することができる。
【００８６】
なお、本発明は、上記し且つ図面に示す実施形態にのみ限定されるものではなく、次のような変形、拡張が可能である。
第２の実施形態では、洗浄工程、一次脱水工程、すすぎ工程および二次脱水工程を自動的に行う場合を例としたが、これに限定されるものではない。即ち、これらの工程を選択的に実行可能とし、使用者の設定入力部１２３の操作により任意の工程（例えば脱水工程のみ）を行うことができるように構成してもよい。
【００８７】
第２の実施形態において、脱水の時間は、一次脱水工程では制御装置１２４に予め記憶された所定時間とされ、二次脱水工程では使用者により設定入力されるように構成したが、両脱水工程の脱水の時間を、使用者により設定入力できるように構成してもよい。また、両脱水工程の脱水の時間を制御装置１２４に予め記憶させておき使用者による設定入力を不要としてもよいし、第１の実施形態において、脱水の時間を使用者により設定入力できるように構成する等、適宜変更してもよい。
【００８８】
また、洗浄回数（すすぎ回数）についても、洗浄工程およびすすぎ工程の夫々について個別に設定可能に構成してもよいし、制御装置１２４に洗浄回数（すすぎ回数）を予め記憶させておき使用者による設定入力を不要とする等してもよい。
【図面の簡単な説明】
【００８９】
【図１】本発明の第１の実施形態を示すもので、マットレス用脱水機の外観斜視図
【図２】正面図
【図３】平面図
【図４】破断右側面図
【図５】（ａ）〜（ｃ）は扉と棚部との連動関係を示す動作説明図
【図６】操作レバーを開放位置へ回動させた状態における挟み込み機構部分の平面図
【図７】図６のＸ１−Ｘ１線に沿う縦断正面図
【図８】図６のＸ２−Ｘ２線に沿う縦断側面図
【図９】図６のＸ３−Ｘ３線に沿う縦断側面図
【図１０】操作機構部分の拡大平面図
【図１１】図１０のＸ４−Ｘ４線に沿う縦断正面図
【図１２】操作レバーを締め付け位置へ回動させた状態での図６相当図
【図１３】同状態での図７相当図
【図１４】同状態での図８相当図
【図１５】同状態での図９相当図
【図１６】回転板の正面図
【図１７】本発明の第２の実施形態を示す図２相当図
【図１８】図４相当図
【図１９】押え体が開放位置へ位置された状態でのマットレス用脱水機の内部構造を示す平面図
【図２０】図１９のＸ５−Ｘ５線に沿う縦断正面図
【図２１】エアシリンダと共に示す回動棒の近傍部分の拡大正面図
【図２２】押え体が挟み込み位置に位置された状態での図１９相当図
【図２３】同状態での図２０相当図
【図２４】同状態での図２１相当図
【図２５】ノズルと共に示す洗浄水供給手段全体の概略図
【図２６】制御系の構成を示すブロック図
【図２７】本発明の第３の実施形態を示す図４相当図
【図２８】図２２相当図
【符号の説明】
【００９０】
図面中、１はマットレス用脱水機、２は外箱、３は出入口、４は扉、８は棚部、１０は連動機構、２４は制御装置（停止位置制御手段）、２６は脱水室、３０はマットレス、３１は挟み込み機構（挟み込み手段）、３２は回転駆動機構（回転駆動手段）、３４は載置台、３５は押え体、３６は操作機構、４６は横バー、４７，４８は可動プレート、６０は操作レバー、６６はフック、７３，７４は第１，第２の係合ピン、８１は脱水用モータ、８５は回転位置検出センサ、８６は回転板、９４は挟み込み機構（挟み込み手段）、９５は押え体、１００はエアシリンダ、１０２はノズル、１０５は洗浄水供給手段、１２０は収容室、１２４は制御装置（停止位置制御手段）、１２５は挟み込み機構（挟み込み手段）、１２６は棒状部材を示す。
【図１】
2007307356.tif 000003
【図２】
2007307356.tif 000004
【図３】
2007307356.tif 000005
【図４】
2007307356.tif 000006
【図５】
2007307356.tif 000007
【図６】
2007307356.tif 000008
【図７】
2007307356.tif 000009
【図８】
2007307356.tif 000010
【図９】
2007307356.tif 000011
【図１０】
2007307356.tif 000012
【図１１】
2007307356.tif 000013
【図１２】
2007307356.tif 000014
【図１３】
2007307356.tif 000015
【図１４】
2007307356.tif 000016
【図１５】
2007307356.tif 000017
【図１６】
2007307356.tif 000018
【図１７】
2007307356.tif 000019
【図１８】
2007307356.tif 000020
【図１９】
2007307356.tif 000021
【図２０】
2007307356.tif 000022
【図２１】
2007307356.tif 000023
【図２２】
2007307356.tif 000024
【図２３】
2007307356.tif 000025
【図２４】
2007307356.tif 000026
【図２５】
2007307356.tif 000027
【図２６】
2007307356.tif 000028
【図２７】
2007307356.tif 000029
【図２８】
2007307356.tif 000030